(57)【要約】      （修正有）【課題】コイル装置においてコアに対するコイルの組付作業性を向上させる。【解決手段】α巻で巻回されたコイル１２と、コイル１２が収容されるコアとを備えたコイル装置１０において、コイル１２の外周側を覆うように締付部材１６が装着され、この締付部材１６は、コイル１２における外周面の少なくとも一部を覆う第１環状部２８と、第１環状部２８の両端部に設けられた一組の第１及び第２メス側係合部３０、３２とを有した第１締付バンド２４と、コイル１２の外周面を覆う第２環状部４６と、第２環状部４６の両端部に設けられ第１及び第２メス側係合部３０、３２と係合する一組の第１及び第２オス側係合部４８、５０とを有した第２締付バンド２６とを備える。そして、第１締付バンド２４の第１及び第２メス側係合部３０、３２には、巻回されたコイル１２の第１及び第２端部２０、２２がそれぞれ挿入される第１及び第２挿入空間３４、４０を有している。【選択図】図２
2020150120.tif 000002
【特許請求の範囲】
【請求項１】
２段の巻層を形成するようにα巻でボビンに対して巻回されたコイルと、該ボビンと共に前記コイルが収容されるコアとを備えたコイル装置において、
前記コイルの外周側に沿って装着される締付部材を備え、
前記締付部材は、該コイルにおける外周面の一部を覆う第１環状部と、該第１環状部の両端部に設けられた一組のメス側係合部とを備えた第１締付バンドと、
前記第１環状部によって覆われた外周面以外のコイルの外周面を覆う第２環状部と、該第２環状部の両端部に設けられ前記メス側係合部と係合する一組のオス側係合部とを備えた第２締付バンドと、
を備え、
前記メス側係合部には、巻回された前記コイルの端部である第１端部及び第２端部がそれぞれ挿入される挿入部を有する、コイル装置。
【請求項２】
請求項１記載のコイル装置において、
前記第１及び第２環状部は、前記コイルにおいて前記ボビンの軸方向に沿った一方側となる巻層と他方側となる巻層とに跨るように設けられる、コイル装置。
【請求項３】
請求項２記載のコイル装置において、
前記メス側係合部は、前記一方側及び他方側の巻層にそれぞれ対応するように前記第１環状部に対して前記軸方向に沿った上下に配置され、
前記オス側係合部は、前記一方側及び他方側の巻層にそれぞれ対応するように前記第２環状部に対して前記軸方向に沿った上下に配置される、コイル装置。
【発明の詳細な説明】
【技術分野】
【０００１】
本発明は、α巻で形成されたコイルの外周面に対して締付部材を接触させ保持するコイル装置に関する。
【背景技術】
【０００２】
従来から、α巻きで２段に巻回されたコイルと、該コイルの収納される一組のコアとを有したコイル装置が知られている。このようなコイル装置は、特許文献１に開示されるように、導電性を有して高さ方向に幅広な平角導線をα巻きで２段且つ環状に巻回したコイルを有し、前記コイルにおける一方の末端と他方の末端とが上下となるように配置される。そして、巻回されたコイルの中心が、コアの中央に形成された巻芯部の外周側へと挿入されることで前記コア内に収納されると共に、一方及び他方の末端がそれぞれコアの外側に開口した引出溝から外部へと引き出される。
【先行技術文献】
【特許文献】
【０００３】
【特許文献１】特開２００７−３０５６６５号公報
【発明の概要】
【発明が解決しようとする課題】
【０００４】
しかしながら、上述したように巻回されたコイルには、曲げられた平角導線が弾性変形によって元に戻ろうとする力（スプリングバック）が径方向外側へと働くため、例えば、コイルをコア内に組み付ける際、作業者が前記コイルの外周方向への拡がりを抑えながら作業を行う必要があり、しかも、前記コイルの末端をそれぞれ引出溝に対応した位置へと組み付ける必要があるため、組付作業性が悪いという問題がある。
【０００５】
本発明は、前記の課題を考慮してなされたものであり、コアに対するコイルの組付作業性を向上させることが可能なコイル装置を提供することを目的とする。
【課題を解決するための手段】
【０００６】
前記の目的を達成するために、本発明の態様は、２段の巻層を形成するようにα巻でボビンに対して巻回されたコイルと、ボビンと共にコイルが収容されるコアとを備えたコイル装置において、
コイルの外周側に沿った装着される締付部材を備え、
締付部材は、コイルにおける外周面の一部を覆う第１環状部と、第１環状部の両端部に設けられた一組のメス側係合部とを備えた第１締付バンドと、
第１環状部によって覆われた外周面以外のコイルの外周面を覆う第２環状部と、第２環状部の両端部に設けられメス側係合部と係合する一組のオス側係合部とを備えた第２締付バンドと、
を備え、
メス側係合部には、巻回されたコイルの端部である第１端部及び第２端部がそれぞれ挿入される挿入部を有する。
【０００７】
本発明によれば、２段の巻層を形成するようにα巻でボビンに巻回されたコイルを有し、コイルの外周側に沿って装着される締付部材は、コイルにおける外周面の一部を覆う第１環状部と、第１環状部の両端部に設けられたメス側係合部とからなる第１締付バンドと、第１環状部によって覆われた外周面以外のコイルの外周面を覆う第２環状部と、第２環状部の両端部に設けられメス側係合部と係合するオス側係合部とからなる第２締付バンドとを備えている。そして、第１及び第２環状部がそれぞれコイルの外周面を覆うように当接した状態で、メス側係合部に形成された挿入部に対し、コイルの端部である第１端部及び第２端部が挿入されると共にオス側係合部が係合される。
【０００８】
従って、巻回されたコイルの外周面に当接するように第１及び第２締付バンドを設け、コイルの第１及び第２端部と共にオス側係合部をメス側係合部へと係合させることで、第１締付バンドと第２締付バンドからなる締付部材をコイルの外周側を覆うように装着することができる。
【０００９】
その結果、巻回されたコイルがスプリングバックによって径方向外側へと拡がろうとした場合でも、第１及び第２締付バンドからなる締付部材によってコイルの拡がりを好適に規制することができ、従来のコイル装置と比較してコイルをコアに対して容易に組み付けることができるため、組付作業性を向上させることができる。
【発明の効果】
【００１０】
本発明によれば、以下の効果が得られる。
【００１１】
すなわち、２段の巻層を形成するようにα巻で巻回されたコイルを有し、締付部材を構成する第１締付バンドの第１環状部と、第２締付バンドの第２環状部とがコイルの外周面を覆った状態で、第１環状部の両端部に設けられたメス側係合部の挿入部にコイルの第１及び第２端部を挿入し、第２環状部の両端部に設けられた第２取付バンドのオス側係合部と係合させることで、挿入部内に第１及び第２端部が保持された状態でコイルの外周側を覆うように締付部材を装着することができる。
【００１２】
その結果、巻回されたコイルがスプリングバックによって径方向外側へと拡がろうとした場合でも、第１及び第２締付バンドからなる締付部材によってコイルの拡がりを好適に規制することが可能となり、従来のコイル装置と比較してコイルをコアに対して容易に組み付けることができるため、その組付作業性を向上させることができる。
【図面の簡単な説明】
【００１３】
【図１】本発明の実施の形態に係るコイル装置の外観斜視図である。
【図２】図１に示すコイル装置におけるコイル及び締付部材の分解斜視図である。
【図３】図１に示すコイル装置の平面図である。
【図４】図１に示すコイル装置におけるコイルの正面図である。
【発明を実施するための形態】
【００１４】
本発明に係るコイル装置について好適な実施の形態を挙げ、添付の図面を参照しながら以下詳細に説明する。図１において、参照符号１０は、本発明の実施の形態に係るコイル装置を示す。
【００１５】
このコイル装置１０は、図１〜図４に示されるように、その両端が外周側から引き出されα巻きで巻回されたコイル１２と、該コイル１２が外周側に巻回されるボビン１４と、該ボビン１４に巻回された状態で前記コイル１２を径方向外側から保持する締付部材１６と、前記コイル１２及び前記ボビン１４の収納されるコア１８とを含む。
【００１６】
コイル１２は、例えば、エナメル等の絶縁皮膜で覆われ導電性を有した平角導線が用いられ、その幅広面が径方向となるように、上下方向に２層にわたってα巻きでボビン１４の外周側へと巻回されている。詳細には、コイル１２は、その一端となる第１端部２０から内側に向かって複数回巻回され、途中において下方へと移動した後に、外側に向かって複数回巻回して他端となる第２端部２２が前記第１端部２０とは反対側で引き出される。そして、コイル１２における上層１２ａ及び下層１２ｂは同一の巻き数で形成され、その最外周径が略同一となるように形成される。
【００１７】
このように、コイル１２は、巻回方向に沿った一端となる第１端部２０が、２層のうちの上層１２ａの巻回部位において最も外周側から直線状に引き出され、他端となる第２端部２２が２層のうちの下層１２ｂの巻回部位において最も外周側から直線状に引き出される。また、第１端部２０と第２端部２２とがコイル１２の巻回部位を挟んで対向して同一方向に延在すると共に、上下方向（矢印Ａ１、Ａ２方向）にオフセットしている（図４参照）。なお、コイル１２の第１及び第２端部２０、２２は、絶縁被膜に覆われておらず導電可能に露呈している。
【００１８】
締付部材１６は、例えば、非導電材料である樹脂製材料から形成され、コイル１２の第１及び第２端部２０、２２側（矢印Ｂ１方向）に装着される第１締付バンド２４と、該第１締付バンド２４に対して該コイル１２の中心を挟んで反対側（矢印Ｂ２方向）となる部位に装着される第２締付バンド２６とからなる。
【００１９】
第１締付バンド２４は、例えば、巻回されたコイル１２の外周部位に対応して断面円弧状に形成された第１環状部２８と、該第１環状部２８の両端部に形成された一組の第１及び第２メス側係合部３０、３２とを備える。第１環状部２８は、その幅寸法が略一定に形成されると共に、内周径がコイル１２の巻回部位における最外周径と略同一に形成される。
【００２０】
第１及び第２メス側係合部３０、３２は、第１環状部２８に対してコイル１２の軸方向（矢印Ａ１、Ａ２方向）に沿って上下にオフセットして設けられる。第１メス側係合部３０は、例えば、第１環状部２８の一端部に設けられ、該第１環状部２８に対して上方（矢印Ａ１方向）に設けられる。一方、第２メス側係合部３２は、第１環状部２８の他端部において該第１環状部２８に対して下方（矢印Ａ２方向）に設けられる。
【００２１】
第１メス側係合部３０は、例えば、コイル１２の軸方向（矢印Ａ１、Ａ２方向）に長尺な断面長方形状に形成され、該コイル１２の第１端部２０の挿入方向（矢印Ｂ１方向）に沿って所定長さを有すると共に、該挿入方向の手前側（矢印Ｂ２方向）となる端部下端に第１環状部２８の一端部が接続される。そして、第１メス側係合部３０の内部には、コイル１２の第１端部２０及び後述する第２締付バンド２６の第１オス側係合部４８が挿入される第１挿入空間（挿入部）３４が形成される。
【００２２】
また、第１メス側係合部３０は、第１環状部２８の接続される内側壁とは反対側となる外側壁３６に第１係合溝３８が形成される（図２及び図４参照）。第１係合溝３８は、外側壁３６の一部を切り欠くように形成され、コイル１２の挿入方向（矢印Ｂ１方向）に沿って延在し、第１メス側係合部３０の一端から他端まで貫通している。
【００２３】
さらに、第１係合溝３８は、コイル１２の軸方向において、第１メス側係合部３０の高さ中央よりも下方（矢印Ａ２方向）となる位置に形成されている。
【００２４】
第２メス側係合部３２は、第１メス側係合部３０と同様に、コイル１２の軸方向（矢印Ａ１、Ａ２方向）に長尺な断面長方形状に形成され、該コイル１２の第２端部２２の挿入方向に沿って所定長さを有すると共に、該挿入方向の手前側（矢印Ｂ２方向）となる端部上端に第１環状部２８の他端部が接続される。そして、第２メス側係合部３２の内部には、コイル１２の第２端部２２及び後述する第２締付バンド２６の第２オス側係合部５０が挿入される第２挿入空間（挿入部）４０が形成される。
【００２５】
また、第２メス側係合部３２は、第１環状部２８の接続される内側壁とは反対側となる外側壁４２に第２係合溝４４が形成される。第２係合溝４４は、外側壁４２の一部を切り欠くように形成されコイル１２の挿入方向（矢印Ｂ１方向）に沿って延在し、第２メス側係合部３２の一端から他端まで貫通している。
【００２６】
そして、第２係合溝４４は、コイル１２の軸方向において、第２メス側係合部３２の高さ中央よりも上方（矢印Ａ１方向）となる位置に形成されている。
【００２７】
この第１締付バンド２４は、その第１メス側係合部３０にコイル１２の第１端部２０が挿入され、第２メス側係合部３２にコイル１２の第２端部２２が挿入された状態で、第１環状部２８が前記コイル１２の外周面に対して当接し、上層１２ａの下端と下層１２ｂの上端とに跨るように配置される。すなわち、第１環状部２８が、コイル１２における上層１２ａ及び下層１２ｂの一部を覆うように外周側に設けられる。
【００２８】
第２締付バンド２６は、断面半円状に形成された第２環状部４６と、該第２環状部４６の両端部に形成され第１締付バンド２４の第１及び第２メス側係合部３０、３２に対して係合される第１及び第２オス側係合部４８、５０とを備え、前記第２環状部４６は所定幅で形成され、その内周径がコイル１２の巻回部位における最外周径と略同一に形成される。
【００２９】
第１及び第２オス側係合部４８、５０は、断面半円状に形成された第２環状部４６の両端部からそれぞれ直線状に所定長さだけ延在して形成され、前記第１オス側係合部４８がコイル１２の第１端部２０側となるように設けられ、前記第２オス側係合部５０が前記コイル１２の第２端部２２側となるように設けられる。
【００３０】
第１オス側係合部４８は、第２環状部４６の一端部に対して下方側（矢印Ａ２方向）が切り欠かれ幅狭状に形成され、第１メス側係合部３０の第１係合溝３８に挿入される第１挿通部５２と、該第１挿通部５２に対して下方に形成され内側へと窪んだ第１段部５４とを有している。
【００３１】
第１挿通部５２及び第１段部５４は、第１オス側係合部４８の先端から第２環状部４６側（矢印Ｂ２方向）に向かって所定長さで形成され、前記第１挿通部５２は、第１係合溝３８と略同一の高さ及び長さで形成される。また、第１挿通部５２が第１係合溝３８へと挿入された際、第１段部５４が第１メス側係合部３０の第１挿入空間３４内で外側壁３６と当接している（図４参照）。
【００３２】
第２オス側係合部５０は、第２環状部４６の他端部に対して上方側（矢印Ａ１方向）が切り欠かれ幅狭状に形成され、第２メス側係合部３２の第２係合溝４４に挿入される第２挿通部５６と、該第２挿通部５６に対して上方に形成され内側へと窪んだ第２段部５８とを有している。
【００３３】
第２挿通部５６及び第２段部５８は、第２オス側係合部５０の先端から第２環状部４６側（矢印Ｂ２方向）に向かって所定長さで形成され、前記第２挿通部５６は、第２係合溝４４と略同一の高さ及び長さで形成される。また、第２挿通部５６が第２係合溝４４へと挿入された際、第２段部５８が第２メス側係合部３２の第２挿入空間４０内で外側壁４２と当接している（図４参照）。
【００３４】
すなわち、第１オス側係合部４８と第２オス側係合部５０とが、第２環状部４６に対してコイル１２の軸方向（矢印Ａ１、Ａ２方向）となる上下にオフセットし、且つ、対称形状となるように形成されると共に、第２環状部４６の高さ方向に沿った幅寸法が、第１及び第２オス側係合部４８、５０の幅寸法よりも大きく形成されている。なお、第１オス側係合部４８が、第２環状部４６の幅中心に対して上方となり、第２オス側係合部５０が前記幅中心に対して下方となるように形成される。
【００３５】
そして、第２締付バンド２６は、その第１オス側係合部４８がコイル１２の第１端部２０と共に第１メス側係合部３０へと挿入され、第２オス側係合部５０が前記コイル１２の第２端部２２と共に第２メス側係合部３２へと挿入された状態で、第２環状部４６が前記コイル１２の外周面に当接し、上層１２ａの下端と下層１２ｂの上端とに跨るように配置される。すなわち、第２環状部４６が、コイル１２における上層１２ａ及び下層１２ｂの一部を覆うように外周側に設けられる。
【００３６】
コア１８は、図１及び図３に示されるように、例えば、磁性材料から略矩形状に形成され、その中心には上方（矢印Ａ１方向）に向かって突出した円柱状のコイル挿通部６０が形成され、該コイル挿通部６０の外周側にコイル１２及び締付部材１６が挿入され収納される収納空間６２を有している。
【００３７】
また、コア１８には、コイル挿通部６０の外周側に形成された収納空間６２から外側に向かって延在する一組の引出溝６４ａ、６４ｂを有し、前記引出溝６４ａ、６４ｂには、前記コイル１２の第１及び第２端部２０、２２が挿通され外部へと引き出される。
【００３８】
本発明の実施の形態に係るコイル装置１０は、基本的には以上のように構成されるものであり、次に巻回されたコイル１２をコア１８に対して組み付ける場合について説明する。
【００３９】
先ず、図示しない作業者がα巻きで上下２段に巻回されたコイル１２を把持し、前記コイル１２の第１及び第２端部２０、２２を、第１締付バンド２４における第１及び第２メス側係合部３０、３２の第１及び第２挿入空間３４、４０へとそれぞれ挿入した後に、該コイル１２と第１締付バンド２４とを互いに接近させるように移動させ、第１環状部２８をコイル１２における最外周部位に当接させる。この際、第１環状部２８は、コイル１２における上層１２ａの下端と下層１２ｂの上端とを覆うように２段に跨って配置される。
【００４０】
次に、コイル１２の中心に対して第１締付バンド２４とは反対側（矢印Ｂ２方向）となる位置から第２締付バンド２６を接近させ、その第２環状部４６がコイル１２の外周面に臨み、且つ、第１及び第２オス側係合部４８、５０が前記コイル１２の第１及び第２端部２０、２２に沿って前記第１締付バンド２４側（矢印Ｂ１方向）へ向かうように移動させる。
【００４１】
そして、第１オス側係合部４８を、第１メス側係合部３０の第１挿入空間３４へと挿入し、第２オス側係合部５０を、第２メス側係合部３２の第２挿入空間４０へと挿入すると共に、第２環状部４６をコイル１２の巻回部位における最外周部位に当接させる。これにより、第２環状部４６は、コイル１２における上層１２ａの下端と下層１２ｂの上端とを覆うように２段に跨って配置される。
【００４２】
また、第１オス側係合部４８は、その第１挿通部５２が第１メス側係合部３０の第１係合溝３８に挿通され、且つ、第１段部５４が外側壁３６へと当接され、第２オス側係合部５０は、その第２挿通部５６が第２メス側係合部３２の第２係合溝４４へと挿通され、第２段部５８が外側壁４２へと当接されることで、第１締付バンド２４と第２締付バンド２６とが、コイル１２の軸方向（矢印Ａ１、Ａ２方向）への相対移動の規制された状態で係合される。
【００４３】
さらに、第１オス側係合部４８が、第１挿入空間３４内においてコイル１２の第１端部２０に対して外側に配置されると共に、第２オス側係合部５０が、第２挿入空間４０内において前記コイル１２の第２端部２２に対して外側に配置される。
【００４４】
これにより、第１及び第２端部２０、２２には、コイル１２の巻き中心に対して径方向外側にスプリングバックが働くため、前記第１及び第２端部２０、２２が前記第１及び第２挿入空間３４、４０内で外側へと移動しようとする。そして、それに伴って、第１及び第２オス側係合部４８、５０が第１及び第２端部２０、２２によって外側壁３６、４２側に向かって押圧されることで、前記第１及び第２オス側係合部４８、５０が第１及び第２端部２０、２２と外側壁３６、４２との間に挟持される。
【００４５】
その結果、第２締付バンド２６の第１及び第２オス側係合部４８、５０は、第１締付バンド２４に対する挿入方向（矢印Ｂ１、Ｂ２方向）への相対移動も規制されるため、第１及び第２締付バンド２４、２６は、巻回されたコイル１２の最外周部位に対して第１及び第２環状部２８、４６が当接して径方向内側へと押さえた状態で強固に連結される。
【００４６】
そして、上述したようにα巻で上層１２ａ及び下層１２ｂの２段に巻回され締付部材１６の装着されたコイル１２は、そのスプリングバックによって径方向外側への力が付勢されても、前記締付部材１６の第１及び第２締付バンド２４、２６によって径方向外側への形状変化が防止され、好適に巻回された状態で維持される。
【００４７】
最後に、締付部材１６の装着されたコイル１２は、その中心に設けられたボビン１４をコア１８のコイル挿通部６０へと挿通させて収納空間６２内へと収納し、第１及び第２メス側係合部３０、３２に挿通された第１及び第２端部２０、２２を引出溝６４ａ、６４ｂに挿通させて先端を外部へと引き出すことで、コイル１２及びコア１８を含むコイル装置１０の組み付けが完了する。
【００４８】
以上のように、本実施の形態では、α巻で上層１２ａ及び下層１２ｂの２段となるようにボビン１４に巻回されたコイル１２と、該ボビン１４と共に前記コイル１２が収容されるコア１８とを備え、前記コイル１２の外周側に沿って締付部材１６が装着され、この締付部材１６が、該コイル１２の最外周部位に当接して覆う第１環状部２８と、該第１環状部２８の両端部に設けられた第１及び第２メス側係合部３０、３２とを備えた第１締付バンド２４と、前記コイル１２における最外周部位を覆う第２環状部４６と、該第２環状部４６の両端部に設けられ前記第１及び第２メス側係合部３０、３２に対してそれぞれ係合される第１及び第２オス側係合部４８、５０とを備えた第２締付バンド２６とを有している。
【００４９】
そして、第１及び第２締付バンド２４、２６の第１及び第２環状部２８、４６がそれぞれコイル１２の最外周部位に当接した状態で、巻回されたコイル１２の一端部である第１端部２０が、第１メス側係合部３０の第１挿入空間３４へと挿入され、前記コイル１２の他端部である第２端部２２が、第２メス側係合部３２の第２挿入空間４０へと挿入され、同様に挿入された第１及び第２オス側係合部４８、５０が係合されることで、第１締付バンド２４と第２締付バンド２６とが連結され、且つ、第１及び第２端部２０、２２が保持される。
【００５０】
その結果、巻回されたコイル１２がスプリングバックによって径方向外側へと拡がろうとした場合でも、第１及び第２締付バンド２４、２６からなる締付部材１６によって前記コイル１２の拡がりを好適に規制することができ、前記コイル１２をコア１８に対して組み付ける際、前記コイル１２の巻回状態が締付部材１６によって維持されているため、作業者がコイルのスプリングバックを抑えながら組み付ける必要のあった従来のコイル装置と比較し、容易且つ確実にコイル１２を組み付けることが可能となり組付作業性の向上を図ることができる。
【００５１】
また、第１及び第２締付バンド２４、２６からなる締付部材１６はリング状に形成されており、その内径をコイル１２の最外周部位の外周径に合わせることで、スプリングバックによるコイル１２の径方向外側への拡がりを容易且つ確実に抑制し、該コイル１２の巻回形状を維持することができる。
【００５２】
さらに、第１締付バンド２４と第２締付バンド２６とをコイル１２を中心として径方向に挟み込むように装着することで、前記コイル１２の外周側に対して容易に取り付けて径方向外側への拡がりを抑制することが可能となる。
【００５３】
さらにまた、第１及び第２締付バンド２４、２６の端部には、互いに係合可能な第１及び第２メス側係合部３０、３２、第１及び第２オス側係合部４８、５０を備えており、第１締付バンド２４の第１及び第２メス側係合部３０、３２と、第２締付バンド２６の第１及び第２オス側係合部４８、５０とを係合させることで、前記第１締付バンド２４と前記第２締付バンド２６とをより強固に係合させて連結させることができる。
【００５４】
また、コイル１２の第１及び第２端部２０、２２を、第１締付バンド２４における第１及び第２挿入空間３４、４０へと挿入して固定することで、前記第１及び第２端部２０、２２の位置決めがなされ、前記コイル１２をコア１８に対して組み付けた際に前記第１及び第２端部２０、２２を引出溝６４ａ、６４ｂへと容易且つ同時に挿入して外部へと引き出すことができる。
【００５５】
さらに、締付部材１６において、第１及び第２環状部２８、４６をコイル１２の上層１２ａ及び下層１２ｂに跨って覆うように装着することで、前記上層１２ａ及び前記下層１２ｂにそれぞれ環状部を設けることなく、軸方向に単一となる第１及び第２環状部２８、４６によってコイル１２の径方向外側への拡がりを確実に抑制することができる。
【００５６】
また、コイル１２における第１端部２０と第２端部２２とが上下方向にオフセットしているため、第１及び第２環状部２８、４６によって上層１２ａと下層１２ｂとを同時に覆うことで上層１２ａ及び下層１２ｂに働くスプリングバックを好適に抑えることができる。
【００５７】
さらに、第１環状部２８に対して上下となるように第１及び第２メス側係合部３０、３２を設けると共に、前記第２環状部４６に対して上下にオフセットするように第１及び第２オス側係合部４８、５０を設ける構成とすることで、第１及び第２環状部２８、４６によってコイル１２における上層１２ａ及び下層１２ｂを同時に覆い、前記上層１２ａ及び下層１２ｂにおけるコイル１２のスプリングバックによる径方向外側への拡がりを好適に抑制し、コイル１２のコア１８への挿入作業が容易となる。
【００５８】
さらにまた、第１及び第２環状部２８、４６に対し、第１締付バンド２４の第１及び第２メス側係合部３０、３２を、第１及び第２端部２０、２２、第１及び第２オス側係合部４８、５０を挿入して係合可能な最低限の構成とすることで、前記第１及び第２締付バンド２４、２６の構成の簡素化を図って小型化することが可能となり、よりコンパクトなコイル装置１０を構成することができる。
【００５９】
なお、本発明に係るコイル装置は、上述の実施の形態に限らず、本発明の要旨を逸脱することなく、種々の構成を採り得ることはもちろんである。
【符号の説明】
【００６０】
１０…コイル装置                    １２…コイル
１２ａ…上層                        １２ｂ…下層
１６…締付部材                      １８…コア
２０…第１端部                      ２２…第２端部
２４…第１締付バンド                ２６…第２締付バンド
２８…第１環状部                    ３０…第１メス側係合部
３２…第２メス側係合部              ３４…第１挿入空間
４０…第２挿入空間                  ４６…第２環状部
４８…第１オス側係合部              ５０…第２オス側係合部
５２…第１挿通部                    ５６…第２挿通部
【図１】
2020150120.tif 000003
【図２】
2020150120.tif 000004
【図３】
2020150120.tif 000005
【図４】
2020150120.tif 000006